(57)【要約】【課題】飲料詰めカップ状容器に飲み口部材を取り付けて飲みやすくする。【解決手段】飲料（Ａ）が充填されたカップ状容器本体（１）と、カップ状容器本体の口縁のフランジ（２）に接着されたシール蓋（３）と、フランジに取り付けられた飲み口部材（４）とからなる飲料詰めカップ状容器において、飲み口部材はテーパ付き筒体として形成され、この飲み口部材の下側の小さい方の開口部がフランジに所定の接合手段によって水密的に接合され、シール蓋には飲み口部材内においてフランジの上方へと伸びる摘み片（３ｂ）が設けられる。【選択図】図２
2013049441.tif 000002
【特許請求の範囲】
【請求項１】
飲料が充填されたカップ状容器本体と、カップ状容器本体の口縁のフランジに接着されたシール蓋と、上記フランジに取り付けられた飲み口部材とからなる飲料詰めカップ状容器において、上記飲み口部材はテーパ付き筒体として形成され、この飲み口部材の下側の小さい方の開口部が上記フランジに所定の接合手段によって水密的に接合され、上記シール蓋には上記飲み口部材内において上記フランジの上方へと伸びる摘み片が設けられていることを特徴とする飲料詰めカップ状容器。
【請求項２】
請求項１に記載の飲料詰めカップ状容器において、上記飲み口部材の下側の小さい方の開口部が、上記フランジに対しその下側から当接する突起を有していることを特徴とする飲料詰めカップ状容器。
【請求項３】
請求項１又は請求項２に記載の飲料詰めカップ状容器において、上記接合手段が、超音波溶着によって上記小さい方の開口部と上記フランジとの間に形成された溶着部であることを特徴とする飲料詰めカップ状容器。
【請求項４】
請求項１又は請求項２に記載の飲料詰めカップ状容器において、上記接合手段が、上記小さい方の開口部の上下に設けられた突出片及び突起で上記フランジを挟む嵌合部であることを特徴とする飲料詰めカップ状容器。
【請求項５】
請求項４に記載の飲料詰めカップ状容器において、カップ状容器本体のフランジの上面における内周側を上段面として外周側に一段下がった下段面が形成され、この下段面側が上記突出片と突起とで挟まれた嵌合部とされ、上記上段面側がシール蓋との接着部とされたことを特徴とする飲料詰めカップ状容器。
【請求項６】
請求項１又は請求項２に記載の飲料詰めカップ状容器において、上記接合手段が、上記小さい方の開口部と上記フランジとの間に形成された上記フランジの軸芯を中心に旋回する螺旋を有した雌雄ネジであることを特徴とする飲料詰めカップ状容器。
【請求項７】
請求項１乃至請求項６のいずれかに記載の飲料詰めカップ状容器において、上記カップ状容器本体の外周壁との間に隙間ができるようにこの外周壁に沿って伸びるスリーブが上記飲み口部材の下端に連結されたことを特徴とする飲料詰めカップ状容器。
【請求項８】
カップ状容器本体に飲料を充填する充填工程と、カップ状容器本体の口縁のフランジにシール蓋を接着する密封工程と、テーパ付き筒体である飲み口部材の大きい方の開口部を上記カップ状容器本体の底に向けたうえで、飲み口部材と上記カップ状容器本体とをそれらの軸芯方向で相対的にスライドさせることによって、飲み口部材の小さい方の開口部を上記カップ状容器本体のフランジに接近させるスライド工程と、上記小さい方の開口部と上記フランジとを水密的に接合する接合工程と、上記スライド時に上記シール蓋の周縁から突出する摘み片を上記飲み口部材によってその大きい方の開口部側へと押し上げる摘み片押し上げ工程とを包含してなることを特徴とする飲料詰めカップ状容器の製造方法。
【発明の詳細な説明】
【技術分野】
【０００１】
本発明は、飲料を飲みやすくするための飲み口部材を備えた飲料詰めカップ状容器に関する。
【背景技術】
【０００２】
カップ状容器本体に飲料を充填した後、カップ状容器本体の口縁のフランジにシール蓋を接着することによって容器内部を密封した飲料詰めカップ状容器が市販されている。この飲料詰めカップ状容器を購入した者は、中味の飲料が常温又は冷たい場合はストローをシール蓋に突き刺すことで容易に飲料を飲むことができる。しかし、中味の飲料が熱い場合はストローで飲むことができないので、シール蓋を剥がし、フランジに唇を直に接触させて中味を飲まざるをえない。ところが、フランジは容器の口縁に突起物となって存在し、また、フランジ面はシール蓋を接着するための接着剤が残留する等して粗面化しているので、唇を付けたときに飲む者に違和感を与える。また、シール蓋をフランジから剥がす時に、容器が揺れて飲料が容器からこぼれ出るおそれがある。さらに、飲料の熱で容器も熱くなっているので購入者は手で容器を持ち難く、従って中味も飲みづらい。
【０００３】
このような、問題点を解消するものとして、開封部材を有するオーバーキャップが提案されている（例えば、特許文献１，２参照）。このオーバーキャップは、切刃を有した開封部材をオーバーキャップと一体的に形成し、開封部材とオーバーキャップとの間にヒンジを設けてなるものである。オーバーキャップは予めシール蓋の上からカップ状容器本体に被せ、オーバーキャップ下端部をカップ状容器本体のフランジと嵌合させておき、飲料を飲む際は、ヒンジを支点にして開封部材を指で押し下げ、開封部材の切刃でシール蓋を破ることができる。そして、唇を開封部材とオーバーキャップとの間の隙間に当て、カップ状容器本体を傾けることで中味の飲料を飲むことができる。
【先行技術文献】
【特許文献】
【０００４】
【特許文献１】特開２００５−２２７５７号公報
【特許文献２】特開２００６−６９６４２号公報
【発明の概要】
【発明が解決しようとする課題】
【０００５】
従来の開封部材付きオーバーキャップを使用する場合は、開封部材の切刃が中味の飲料に接触するという問題があり、また、飲料がシール蓋の上にこぼれ出てこれがオーバーキャップとカップ状容器本体のフランジとの繋ぎ目から漏れ出るという問題がある。さらに、シール蓋には切り込みが入れられるだけで開封が不完全であることから、飲料が容器本体から出難いという問題がある。
【０００６】
また、このようなオーバーキャップを使用することなく、フランジの粗面化等を防止する手段として、シール蓋を落とし蓋形式としてフランジより下方の容器本体の奥の方まで挿入し、シール蓋の回りを容器本体の内壁面に接着することも考えられる。しかし、この方法ではシール蓋を容器本体の内壁面に正確に接着することが難しく、密封不良を生じ易いという問題がある。
【０００７】
従って、本発明は、上記問題点を解決することができる飲料詰めカップ状容器及びその製造方法を提供することを目的とする。
【課題を解決するための手段】
【０００８】
上記課題を解決するため、本発明は次のような構成を採用する。
【０００９】
なお、本発明の理解を容易にするため図面の参照符号を括弧書きで付するが、本発明はこれに限定されるものではない。
【００１０】
請求項１に係る発明は、飲料（Ａ）が充填されたカップ状容器本体（１）と、カップ状容器本体（１）の口縁のフランジ（２）に接着されたシール蓋（３）と、上記フランジ（２）に取り付けられた飲み口部材（４）とからなる飲料詰めカップ状容器において、上記飲み口部材（４）はテーパ付き筒体として形成され、この飲み口部材（４）の下側の小さい方の開口部が上記フランジ（２）に所定の接合手段によって水密的に接合され、上記シール蓋（３）には上記飲み口部材（４）内において上記フランジ（２）の上方へと伸びる摘み片（３ｂ）が設けられた構成を採用する。
【００１１】
請求項２に記載されるように、請求項１に記載の飲料詰めカップ状容器において、上記飲み口部材（４）の下側の小さい方の開口部が、上記フランジ（２）に対しその下側から当接する突起（４ｂ）を有しているものとすることができる。
【００１２】
この突起（４ｂ）をフランジ（２）に当てることによって、飲み口部材（４）の小さい方の開口部における密封性を高めることができる。
【００１３】
請求項３に記載されるように、請求項１又は請求項２に記載の飲料詰めカップ状容器において、上記接合手段が、超音波溶着によって上記小さい方の開口部と上記フランジ（２）との間に形成された溶着部であるものとすることができる。
【００１４】
接合手段が超音波溶着であることから、飲み口部材（４）とカップ状容器本体（１）との接合力が高められ、かつ、水密性が高められる。
【００１５】
請求項４に記載されるように、請求項１又は請求項２に記載の飲料詰めカップ状容器において、上記接合手段が、上記小さい方の開口部の上下に設けられた突出片（４ｃ）及び突起（４ｂ）で上記フランジ（２）を挟む嵌合部であるものとすることができる。
【００１６】
接合手段が嵌合部であることから、飲み口部材（４）はカップ状容器本体（１）にワンタッチで速やかに接合される。
【００１７】
請求項５に記載されるように、請求項４に記載の飲料詰めカップ状容器において、カップ状容器本体（１）のフランジ（２）の上面における内周側を上段面（２ａ）として外周側に一段下がった下段面（２ｂ）が形成され、この下段面（２ｂ）側が上記突出片（４ｃ）と突起（４ｂ）とで挟まれた嵌合部とされ、上記上段面（２ａ）側がシール蓋（３）との接着部とされたものとすることができる。
【００１８】
この場合、シール蓋（３）のフランジ２に接着されないはみ出し部（３ｃ）がフランジ（２）の下段面（２ｂ）には至らないので、はみ出し部（３ｃ）が突出片（４ｃ）と突起（４ｂ）とで挟まれることはなく、従って、使用者は飲料を飲む際にシール蓋（３）をフランジ（２）の上面から簡易に剥がすことができる。
【００１９】
請求項６に記載されるように、請求項１又は請求項２に記載の飲料詰めカップ状容器において、上記接合手段が、上記小さい方の開口部と上記フランジ（２）との間に形成された上記フランジ（２）の軸芯を中心に旋回する螺旋を有した雌雄ネジ（９ａ，９ｂ）であるものとすることができる。
【００２０】
接合手段がネジであることから、飲み口部材（４）とカップ状容器本体（１）との接合力を適度に加減することが可能である。
【００２１】
請求項７に記載されるように、請求項１乃至請求項６のいずれかに記載の飲料詰めカップ状容器において、上記カップ状容器本体（１）の外周壁との間に隙間ができるようにこの外周壁に沿って伸びるスリーブ（１０）が上記飲み口部材（４）の下端に連結されたものとすることができる。
【００２２】
スリーブ（１０）とカップ状容器本体（１）の外周壁との間に隙間が存在することにより、飲料が熱かったり冷たかったりした場合でも購入者はスリーブ（１０）を把持することで、カップ状容器本体（１）をしっかり支えつつ中味の飲料（Ａ）を喫することができる。
【００２３】
請求項８に係る発明は、カップ状容器本体（１）に飲料（Ａ）を充填する充填工程と、カップ状容器本体（１）の口縁のフランジ（２）にシール蓋（３）を接着する密封工程と、テーパ付き筒体である飲み口部材（４）の大きい方の開口部を上記カップ状容器本体（１）の底に向けたうえで、飲み口部材（４）と上記カップ状容器本体（１）とをそれらの軸芯方向で相対的にスライドさせることによって、飲み口部材（４）の小さい方の開口部を上記カップ状容器本体（１）のフランジ（２）に接近させるスライド工程と、上記小さい方の開口部と上記フランジ（２）とを水密的に接合する接合工程と、上記スライド時に上記シール蓋（３）の周縁から突出する摘み片（３ｂ）を上記飲み口部材（４）によってその大きい方の開口部側へと押し上げる摘み片（３ｂ）押し上げ工程とを包含してなる飲料詰めカップ状容器の製造方法を採用する。
【００２４】
請求項８に係る発明によれば、シール蓋（３）をカップ状容器本体（１）のフランジ（２）に接着した後に、飲み口部材（４）をカップ状容器本体（１）にその底側から被せるようにしてフランジ（２）に固定することができる。したがって、飲み口部材（４）で囲まれる前の開放状態にあるフランジ（２）にシール蓋（３）を接着することでカップ状容器本体（１）を確実に密封することができ、シール蓋（３）の摘み片（３ｂ）もフランジ（２）上方へと摘み易い位置へと飲み口部材（４）によって自動的に押し上げることができる。
【発明の効果】
【００２５】
本発明によれば、飲料（Ａ）が充填されたカップ状容器本体（１）と、カップ状容器本体（１）の口縁のフランジ（２）に接着されたシール蓋（３）と、上記フランジ（２）に取り付けられた飲み口部材（４）とからなる飲料詰めカップ状容器において、上記飲み口部材（４）はテーパ付き筒体として形成され、この飲み口部材（４）の下側の小さい方の開口部が上記フランジ（２）に所定の接合手段によって水密的に接合され、上記シール蓋（３）には上記飲み口部材（４）内において上記フランジ（２）の上方へと伸びる摘み片（３ｂ）が設けられたものであるから、シール蓋（３）をカップ状容器本体（１）のフランジ（２）に接着した後に、飲み口部材（４）をカップ状容器本体（１）にその底側から被せるようにしてフランジ（２）に固定することができる。したがって、飲み口部材（４）で囲まれる前の開放状態にあるフランジ（２）にシール蓋（３）を接着することでカップ状容器本体（１）を確実に密封することができ、シール蓋（３）の摘み片（３ｂ）もフランジ（２）上方へと摘み易い位置へと飲み口部材（４）によって自動的に押し上げることができる。また、飲み口部材（４）の口縁には接着剤の残留等もなければフランジ（２）の如き突出物もないので、飲料詰めカップ状容器を購入した者は唇を飲み口部材（４）の口縁に付けたとしても違和感なく飲料（Ａ）を喫することができる。また、シール蓋（３）を剥がす時に容器が揺れても飲み口部材（４）の存在によって飲料（Ａ）の容器外への飛散が防止される。さらに、飲み口部材（４）は容器本体内の飲料（Ａ）から離れているのでほぼ常温状態にあり、従って購入者は飲み口部材（４）を手で持つことによって、カップ状容器本体をしっかり保持しつつ中味を飲むことができる。
【図面の簡単な説明】
【００２６】
【図１】本発明に係る飲料詰めカップ状容器の斜視図である。
【図２】飲料詰めカップ状容器の半断面図である。
【図３】カップ状容器本体と飲み口部材の接合手段を示す部分切欠断面図である。
【図４】他の接合手段を示す部分切欠縦断面図である。
【図５】他の接合手段を示す部分切欠縦断面図である。
【図６】他の接合手段を示す部分切欠縦断面図である。
【図７】飲料詰めカップ状容器の製造方法の一形態を示す工程図である。
【図８】他の実施の形態に係る飲料詰めカップ状容器の半断面図である。
【発明を実施するための形態】
【００２７】
以下、図面を参照して本発明の実施の形態について説明する。
【００２８】
＜実施の形態１＞
図１及び図２に示すように、この飲料詰めカップ状容器は、飲料Ａが充填されたカップ状容器本体１と、カップ状容器本体１の口縁のフランジ２に接着されたシール蓋３と、フランジ２に取り付けられた飲み口部材４とを具備する。
【００２９】
カップ状容器本体１は、筒状の胴部５と、胴部５の底を閉じる底部６と、胴部５の口縁に形成されたフランジ２とを具備する。胴部５には、望ましくは底部６側からフランジ２側へと向かうにつれて径が大きくなるようにテーパが付けられている。フランジ２は、胴部５の口縁から半径方向外側へと突出する平らなリングとして形成される。このカップ状容器本体１は、望ましくは溶融合成樹脂のインジェクション成形によって一体成形される。もちろん、必要に応じて合成樹脂シートを加熱し、真空成形、圧空成形、プレス成形等するシート成形によって得ることも可能である。
【００３０】
シール蓋３は、カップ状容器本体１のフランジ２の外径と略同じか又はやや小さい外径を有した円板部３ａを有する。円板部３ａはカップ状容器の開口部を塞ぎ、かつ、フランジ２に接着される部分である。
【００３１】
また、シール蓋３には、その円板部３ａの外周から外側に突出し、フランジ２に接着されないはみ出し部３ｃと、このはみ出し部３ｃの外周の一箇所から突出する摘み片３ｂが一体的に設けられる。はみ出し部３ｃの外径はフランジ２の外径と略同じか又はやや大きく、その輪郭は略円形である。摘み片３ｂは、カップ状容器本体１のフランジ２から起立する飲み口部材４の内面に沿うように起立する。摘み片３ｂは、飲み口部材４の外側からでも摘みやすくするために、飲み口部材４の高さを超えうる程度の長さに形成されるのが望ましい。
【００３２】
このシール蓋３は、例えば、基材層／バリア層／イージーピール層の層構造を有する積層体として構成される。基材層は、シール蓋３に密封性、腰の強さ等を与えるためのもので、例えばＰＥＴやポリアミド系樹脂フィルムにより形成される。基材層の内面には所望事項が印刷により表示される。バリア層はシール蓋３にガスバリア性を付与するものであり、アルミ箔や蒸着ＰＥＴ、ＥＶＯＨ（エチレン−ビニルアルコール共重合樹脂）などのフィルムにより形成される。イージーピール層は、シール蓋３をカップ状容器に熱接着するとともに、飲用時に容器からシール蓋を容易に剥がすためのものであり、イージーピール剤をコーティングやＥＣ（エクストルージョン・コータ）によって積層してもよいし、イージーピールフィルムを、ドライラミネート等によって接着して積層してもよい。
【００３３】
シール蓋３は、上記層構造を有する素材シートから上記円板部３ａとはみ出し部３ｃと摘み片３ｂとの一体化されたものをあらかじめ打ち抜くことによって得ることができる。
【００３４】
シール蓋３は、円板部３ａのヒートシール剤層が上記フランジ２に接するように、飲料が充填された後のカップ状容器本体１の口縁に被せられたうえで、例えば加熱盤によるプレスや超音波溶着によって、フランジ２に接着される。
【００３５】
なお、シール蓋３の積層体シートをロール状態で供給し、内容物Ａを充填し、積層体シートをカップ状容器本体１にヒートシールした後、図示しない抜き刃にてシール蓋３の形状に打ち抜くことも可能である。
【００３６】
図１及び図２に示すように、シール蓋３がフランジ２の周縁から外側に突出するはみ出し部３ｃは、フランジ２と飲み口部材４との間に食い込むことなく、飲み口部材４の内壁面に沿って立ち上がるように配置される。
【００３７】
飲み口部材４は、テーパ付き筒体として形成される。テーパ付き筒体は、図示例では円錐台であるが、四角形、五角形、六角形、八角形等の多角錐台であってもよい。
【００３８】
飲み口部材４は、上側に大きい方の開口部が来て下側に小さい方の開口部が来るような倒立錐台の姿勢で用いられるもので、大きい方の開口部には飲料Ａを飲む者の唇に対し口当たりが良くなるようにリム４ａが形成され、小さい方の開口部には上記フランジ２に対しその下側から当接する突起４ｂが内向きフランジ状に形成される。
【００３９】
飲み口部材４は、上記カップ状容器本体１と同様に、望ましくは溶融合成樹脂を用いたインジェクション成形によって一体成形されるが、必要に応じてシート成形によって得ることも可能である。
【００４０】
この飲み口部材４が倒立状態とされたうえで、その下側の小さい方の開口部における突起４ｂがカップ状容器本体１のフランジ２に所定の接合手段によって水密的に接合される。
【００４１】
接合手段は、具体的には超音波溶着によって飲み口部材４の小さい方の開口部とカップ状容器本体１のフランジ２との間に形成された溶着部とされる。
【００４２】
超音波溶着方法は図３に示される。図３中、符号７は超音波を出力するホーンを示し、符号８はフランジ２及び突起４ｂを受ける治具を示す。ホーン７と治具８とによってシール蓋３、フランジ２及び突起４ｂの三者が挟まれ、ホーン７から超音波が発射されると、突起４ｂの三角状突起Ｄ（ダイレクター）を基点に突起４ｂとフランジ２との間に摩擦熱が発生し、これによってこれらを構成する合成樹脂の溶着部が形成され、この溶着部によって飲み口部材４の小さい方の開口部がカップ状容器本体１のフランジ２に水密的に接合され一体化される。
【００４３】
なお、三角状突起Ｄはフランジ２側に設けてもよいし、ホーン７と治具８の位置は互いに入れ替えてもよい。
【００４４】
次に、上記構成の飲料詰めカップ状容器の製造方法と出来上がった飲料詰めカップ状容器の使用方法について説明する。
【００４５】
（１）図７（Ａ）に示すように、カップ状容器本体１が用意される。カップ状容器本体１の構造は上述した通りであり、インジェクション成形、シート成形等望ましい製法によって製造される。
【００４６】
（２）図７（Ｂ）に示すように、カップ状容器本体１に飲料Ａが充填される。飲料Ａは例えばコーヒーである。飲料は無菌充填方法にて常温で充填される。
【００４７】
（３）上記充填工程を経た後、図７（Ｃ）に示すように、カップ状容器本体１がシール蓋３で密封される。具体的には、カップ状容器本体１の口縁のフランジ２にシール蓋３が被せられ、熱プレス、超音波溶着等によって、シール蓋３のヒートシール剤層が溶かされ、これによりシール蓋３がフランジ２の平坦な上面に接着される。
【００４８】
また、シール蓋３のフランジ２への接着と同時に、はみ出し部３ｃおよび摘み片３ｂがシール蓋３の半径方向外側へと突出する。
【００４９】
（４）上記密封工程を経た後、図７（Ｄ）に示すように、テーパ付き筒体である飲み口部材４の大きい方の開口部がカップ状容器本体１の底に向けられたうえで、飲み口部材４とカップ状容器本体１とがそれらの軸芯方向で相対的にスライドさせられ、飲み口部材４の小さい方の開口部がカップ状容器本体１のフランジ２に近づけられる。そして、最終的に飲み口部材４の小さい方の開口部における突起４ｂが、図３に示すように、フランジ２の下面に押し付けられる。
【００５０】
（５）上記スライド工程時に、図７（Ｄ）のごとくシール蓋３の周縁から突出したはみ出し部３ｃおよび摘み片３ｂが、カップ状容器本体１に対し相対的に上昇する飲み口部材４に接しつつ飲み口部材４の大きい方の開口部側へと自動的に押し上げられる。
【００５１】
（６）上記スライド工程を経た後、図７（Ｅ）に示すように、飲み口部材４の小さい方の開口部における突起４ｂとカップ状容器本体１のフランジ２とが水密的に接合される。
【００５２】
具体的には、図３に示すように、重なり合ったシール蓋３、フランジ２及び突起４ｂの三者がホーン７と治具８とによって挟まれ、ホーン７から超音波が印加される。これにより、突起４ｂとフランジ２との間にこれらを構成する合成樹脂の溶着部が形成され、この溶着部によって突起４ｂがフランジ２に水密的に接合され一体化される。これにより、両者間からの飲料の漏れ出しが防止される。
【００５３】
かくて、飲料詰めカップ状容器が完成し、必要に応じて飲み口部材４の上から図示しない保護キャップ等が被せられた後、市場へと搬出される。
【００５４】
（７）なお、上記飲み口部材４とカップ状容器本体１とを接合する手段は、図４に示すように、嵌合部として構成することができる。
【００５５】
図４中、符号４ｃは、カップ状容器本体１のフランジ２を飲み口部材４の突起４ｂとともに上下から挟む突出片４ｃを示す。上述したように飲み口部材４とカップ状容器本体１とがそれらの軸芯方向で相対的にスライドさせられ、飲み口部材４の小さい方の開口部がカップ状容器本体１のフランジ２に近づけられ、最終的に飲み口部材４の突起４ｂがフランジ２の下面に押し付けられると、同時に突出片４ｃがフランジ２をその上面側へと乗り越える。これにより、フランジ２の周縁部を突起４ｂと突出片４ｃとで挟持した構造の嵌合部が形成され、かつ、突起４ｂの上面とフランジ２の下面との密着もしくは飲み口部材４の内周面とフランジ２の外周面との密着によってカップ状容器本体１と飲み口部材４との間の水密化が図られる。
【００５６】
また、上記接合手段は、図５に示す嵌合部としても構成することができる。すなわち、カップ状容器本体１のフランジ２の上面における内周側を上段面２ａとして外周側に一段下がった下段面２ｂが形成され、この下段面２ｂ側が上記突出片４ｃと突起４ｂとで挟まれた嵌合部とされ、上記上段面２ａ側がシール蓋３との接着面とされる。これにより、万一ヒートシール盤がずれてシール蓋３がシールされた場合でも、確実にフランジ２の周縁に未シール部を形成することができるので、嵌合部にシール蓋３のはみ出し部３ｃが食い込むことがなく、飲料Ａを飲む際にシール蓋３をフランジ２から剥がしやすくすることができる。
【００５７】
さらに、上記接合手段は、図６に示すネジとしても構成することができる。すなわち、飲み口部材４の下側の小さい方の開口部とカップ状容器本体１のフランジ２との間に、フランジ２の軸芯を中心に旋回する螺旋を有した雌雄ネジ９ａ，９ｂが形成される。上記スライド工程の後に、飲み口部材４とカップ状容器本体１とが上記軸芯を中心にして相対的に回されると、雌雄ネジ９ａ，９ｂが螺合し、突起４ｂの上面とフランジ２の下面とが密着したところでカップ状容器本体１と飲み口部材４との接合が完了する。
【００５８】
（８）飲料詰めカップ状容器の購入者が中味の飲料Ａを温めて飲もうとする場合は、例えば飲料詰めカップ状容器が電子レンジに入れられることで中味の飲料Ａが加熱される。
【００５９】
電子レンジに入れる前にあらかじめ飲み口部材４の口縁から外に突出するシール蓋３の摘み片３ｂが購入者によって摘まれて引っ張られ、シール蓋３がカップ状容器本体１のフランジ２から剥がし取られる。その際、カップ状容器本体１が揺れても、中味の飲料Ａは飲み口部材４の存在によりカップ状容器本体１外へのこぼれ出しが防止される。
【００６０】
飲み口部材４に熱い飲料Ａは接していないので、購入者は熱さを感じることなく飲み口部材を持ってカップ状容器本体１を保持し、飲み口部材４の口縁に唇を付けて飲料Ａを円滑に喫することができる。
【００６１】
飲料詰めカップ状容器がホットウォーマー等に入れられることによって、あらかじめ加温された飲料を飲む場合でも、同様である。
【００６２】
＜実施の形態２＞
図８に示すように、この実施の形態２における飲料詰めカップ状容器では、カップ状容器本体１の外周壁との間に隙間ができるようにこの外周壁に沿って伸びるスリーブ１０が、上記飲み口部材４の下端に一体的に連結される。
【００６３】
飲料詰めカップ状容器の購入者はスリーブ１０の箇所を手で持つことによって、カップ状容器本体１を容易に保持し、中味の飲料Ａを喫することができる。また、中味の飲料Ａが熱くても、上記隙間内の空気層によってスリーブ１０に伝熱せず、購入者は熱さを感じることなくスリーブ１０の箇所でカップ状容器本体１を保持することができる。
【００６４】
なお、スリーブ１０の内面には、必要に応じてリブ１０ａが多数設けられる。これにより、スリーブ１０の変形が防止される。
【００６５】
なお、本発明は上記実施の形態に限定されるものではなく、本発明の要旨の範囲内において種々変更可能である。例えば、上記実施の形態では中味を熱い飲料として説明したが、冷たい飲料についても本発明を適用可能である。
【符号の説明】
【００６６】
１…カップ状容器本体
２…フランジ
２ａ…上段面
２ｂ…下段面
３…シール蓋
３ｂ…摘み片
４…飲み口部材
４ｂ…突起
４ｃ…突出片
９ａ，９ｂ…雌雄ネジ
１０…スリーブ
Ａ…飲料
【図１】
2013049441.tif 000003
【図２】
2013049441.tif 000004
【図３】
2013049441.tif 000005
【図４】
2013049441.tif 000006
【図５】
2013049441.tif 000007
【図６】
2013049441.tif 000008
【図７】
2013049441.tif 000009
【図８】
2013049441.tif 000010